【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
レンズ系の前面側に配置され、非撮影時には、前記レンズ系の前面を閉じ、撮影時には、前記レンズの前面を開放し、前記レンズ系の光路外に退避して入射光路を形成するバリア羽根と、
前記バリア羽根を回転自在に保持する回転軸と、
前記レンズ系の前面側光路外の前記バリア羽根の背後側に配置されるバリア基板と開口部を有し、
前記バリア羽根の前面側に配置されて、前記バリア基板との間に前記バリア羽根が作動する空間を形成するバリアカバーと、
前記バリア羽根を作動させるバリア駆動系と
を具備するレンズバリア装置であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成としたことを特徴とするレンズバリア装置。
【請求項２】
前記回転軸は、先端部に小径の基準軸を形成し、前記バリアカバーおよび前記バリア基板のいずれか一方に前記基準軸に対応する係合孔を形成してなり、
前記回転軸の前記基準軸を前記バリアカバーおよび前記バリア基板の一方の前記係合孔に挿入係止して、前記回転軸の前記基準軸側の該回転軸が垂直に交わる平面が前記バリアカバーおよび前記バリア基板のいずれか一方に当接することによって、前記合わせバリア羽根が作動する空間を規定することを特徴とする請求項１に記載のレンズバリア装置。
【請求項３】
前記回転軸は、前記バリアカバーに突設されて一体的に形成されたことを特徴とする請求項１または請求項２に記載のレンズバリア装置。
【請求項４】
前記回転軸は、前記バリア基板に突設されて一体的に形成されたことを特徴とすることを特徴とする請求項１または請求項２に記載のレンズバリア装置。
【請求項５】
請求項１〜請求項４のいずれか１項のレンズバリア装置を備えてなることを特徴とするレンズ鏡胴。
【請求項６】
レンズ系と、
前記レンズ系の前面側に配置され、非撮影時には、前記レンズ系の前面を閉じ、撮影時には、前記レンズの前面を開放し、前記レンズ系の光路外に退避して入射光路を形成するバリア羽根と、
前記バリア羽根を回転自在に保持する回転軸と、
前記レンズ系の前面側光路外の前記バリア羽根の背後側に配置されるバリア基板と開口部を有し、
前記バリア羽根の前面側に配置されて、前記バリア基板との間に前記バリア羽根が作動する空間を形成するバリアカバーと、
前記レンズ系を収容して該レンズ系の周囲を覆うレンズ鏡筒と、
前記バリア羽根を作動させるバリア駆動系と
を具備するレンズ鏡胴であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成としたことを特徴とするレンズ鏡胴。
【請求項７】
前記回転軸は、先端部に小径の基準軸を形成し、前記バリアカバーおよび前記バリア基板のいずれか一方に前記基準軸に対応する係合孔を形成してなり、
前記回転軸の前記基準軸を前記バリアカバーおよび前記バリア基板の一方の前記係合孔に挿入係止して、前記回転軸の前記基準軸側の該回転軸が垂直に交わる平面が前記バリアカバーおよび前記バリア基板のいずれか一方に当接することによって、前記合わせバリア羽根が作動する空間を規定することを特徴とする請求項６に記載のレンズ鏡胴。
【請求項８】
前記回転軸は、前記バリアカバーに突設されて一体的に形成されたことを特徴とする請求項６または請求項７に記載のレンズ鏡胴。
【請求項９】
前記回転軸は、前記バリア基板に突設されて一体的に形成されたことを特徴とする請求項６または請求項７に記載のレンズ鏡胴。
【請求項１０】
請求項５〜請求項９のいずれか１項のレンズ鏡胴を備えてなることを特徴とする撮像装置。
【手続補正２】
【補正対象書類名】明細書
【補正対象項目名】０００６
【補正方法】変更
【補正の内容】
【０００６】
本発明に係るレンズバリア装置は、上述した目的を達成するために、
レンズ系の前面側に配置され、非撮影時には、前記レンズ系の前面を閉じ、撮影時には、前記レンズの前面を開放し、前記レンズ系の光路外に退避して入射光路を形成するバリア羽根と、
前記バリア羽根を回転自在に保持する回転軸と、
前記レンズ系の前面側光路外の前記バリア羽根の背後側に配置されるバリア基板と開口部を有し、
前記バリア羽根の前面側に配置されて、前記バリア基板との間に前記バリア羽根が作動する空間を形成するバリアカバーと、
前記バリア羽根を作動させるバリア駆動系と
を具備するレンズバリア装置であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成とすることを特徴としている。
【手続補正３】
【補正対象書類名】明細書
【補正対象項目名】０００８
【補正方法】変更
【補正の内容】
【０００８】
すなわち本発明に係るレンズバリア装置によれば、
レンズ系の前面側に配置され、非撮影時には、前記レンズ系の前面を閉じ、撮影時には、前記レンズの前面を開放し、前記レンズ系の光路外に退避して入射光路を形成するバリア羽根と、
前記バリア羽根を回転自在に保持する回転軸と、
前記レンズ系の前面側光路外の前記バリア羽根の背後側に配置されるバリア基板と開口部を有し、
前記バリア羽根の前面側に配置されて、前記バリア基板との間に前記バリア羽根が作動する空間を形成するバリアカバーと、
前記バリア羽根を作動させるバリア駆動系と
を具備するレンズバリア装置であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成とすることにより、
バリア羽根の作動空間を最小隙間で構成することができ、羽根の傾斜を効果的に抑制して、羽根段差や作動障害の発生を効果的に防止することが可能となる。
【手続補正４】
【補正対象書類名】明細書
【補正対象項目名】００１０
【補正方法】変更
【補正の内容】
【００１０】
以下、本発明に係る実施の形態に基づき、図面を参照して本発明のレンズバリア装置を詳細に説明する。
先ず、本発明の実施の形態を説明する前に本実施の形態の特徴的なところを説明する。
本実施の形態に係るレンズバリア装置の特徴は、
レンズ系の前面側に配置され、非撮影時には、前記レンズ系の前面を閉じ、撮影時には、前記レンズの前面を開放し、前記レンズ系の光路外に退避して入射光路を形成するバリア羽根と、
前記バリア羽根を回転自在に保持する回転軸と、
前記レンズ系の前面側光路外の前記バリア羽根の背後側に配置されるバリア基板と開口部を有し、
前記バリア羽根の前面側に配置されて、前記バリア基板との間に前記バリア羽根が作動する空間を形成するバリアカバーと、
前記バリア羽根を作動させるバリア駆動系と
を具備するレンズバリア装置であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成としたことにある（請求項１に対応する）。
【手続補正５】
【補正対象書類名】明細書
【補正対象項目名】００１２
【補正方法】変更
【補正の内容】
【００１２】
さらに、本発明の他の実施の形態に係るレンズ鏡胴の特徴は、レンズ系と、
前記レンズ系の前面側に配置され、非撮影時には、前記レンズ系の前面を閉じ、撮影時には、前記レンズの前面を開放し、前記レンズ系の光路外に退避して入射光路を形成するバリア羽根と、
前記バリア羽根を回転自在に保持する回転軸と、
前記レンズ系の前面側光路外の前記バリア羽根の背後側に配置されるバリア基板と開口部を有し、
前記バリア羽根の前面側に配置されて、前記バリア基板との間に前記バリア羽根が作動する空間を形成するバリアカバーと、
前記レンズ系を収容して該レンズ系の周囲を覆うレンズ鏡筒と、
前記バリア羽根を作動させるバリア駆動系と
を具備するレンズ鏡胴であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成としたことにある（請求項６に対応する）。
【手続補正６】
【補正対象書類名】明細書
【補正対象項目名】００１７
【補正方法】変更
【補正の内容】
【００１７】
最もレンズ側（背面側）に配置されて合わせバリア羽根を構成する羽根１３ａと羽根１３ｂが、バリアカバー１１の開口部１１ａの中心近傍において、互いに対応する端面を密接させ、第１のバリア羽根１３ａ−１５ａの３枚の羽根１３ａ、１４ａおよび１５ａを、一部が重なり合うようにして拡げ、第２のバリア羽根１３ｂ−１５ｂの３枚の羽根１３ｂ、１４ｂおよび１５ｂも一部が重なり合うようにして拡げて、レンズへの入射口となるバリアカバー１１の開口部１１ａを隙間なく閉じている。図４は、このような非撮影時において、バリアカバー１１を取り除いた状態で図３のレンズバリア装置を物体側から見た様子を示しており、図示上下各３枚ずつの羽根１３ａ、１４ａおよび１５ａと１３ｂ、１４ｂおよび１５ｂが必要最小限の重なり合いでレンズへの入射口となるバリアカバー１１の開口部１１ａを閉じている。
次に、レンズバリア装置の開閉動作についてさらに詳細に説明する。
レンズバリア装置は、バリア基板１２に支持された一対の開閉レバー１８ａおよび１８ｂを備え、これら開閉レバー１８ａおよび１８ｂには、明確には図示していない鏡胴ユニットから回転力が伝達される一対の駆動ピン１９ａおよび１９ｂがそれぞれ突設されている。開閉レバー１８ａおよび１８ｂは、バリア基板１２に圧入固定されたレバー支持軸２０ａおよび２０ｂにそれぞれ干渉しないように挟み込まれている。上述のように構成された開閉レバー１８ａおよび１８ｂは、鏡胴ユニットから回転力が伝達されると、それぞれレバー支持軸２０ａおよび２０ｂを回転支軸として回転動作する。